(57)【特許請求の範囲】
【請求項１】
下側治具取付け部に下側治具が取り付けられ、上側治具取付け部に上側治具が取り付けられ、前記下側治具に取り付けられた被検査プリント基板を前記上側治具によりプレスして、計測部に接続された複数のコンタクトプローブにより性能検査を行うためのインサーキットテスタで用いられるインサーキットテスタ用治具セットであって、
前記計測部に電気的に接続された検査用コネクタを有し、前記下側治具取付け部に取り付けられる下側アダプタと、
前記コンタクトプローブとボード側コネクタとを有し、前記ボード側コネクタは前記コンタクトプローブに電気的に接続され前記検査用コネクタに接続可能であり、被検査プリント基板の半田付け面の支持部を有し、前記下側アダプタに着脱可能に取り付けられた小型下側治具と、
前記上側治具取付け部に取り付けられる上側アダプタと、
前記支持部に取り付けられた被検査プリント基板をプレス可能に前記上側アダプタに着脱可能に取り付けられた小型上側治具とを備え、
前記小型上側治具は計測部に接続された上側治具用コネクタを有し、
前記上側アダプタは本体とスライダとを有し、前記スライダは前記本体に対しスライドして前記上側治具用コネクタと接続可能なアダプタ側コネクタを有することを、
特徴とするインサーキットテスタ用治具セット。
【請求項２】
前記上側アダプタは、板状の本体と、貫通孔を有し、前記本体に対し並列に間隙をあけて固定された取付板と、頭部が強磁性体から成って前記本体と前記取付板との間に配置され、先端が前記貫通孔を通って前記取付板に前記小型上側治具を取付け可能なボルトと、前記本体に固定され、前記小型上側治具から外れた状態の前記ボルトの先端を前記貫通孔に挿入したまま前記ボルトの頭部を吸着可能な磁石とを、有することを特徴とする請求項１記載のインサーキットテスタ用治具セット。
【発明の詳細な説明】
【０００１】
【発明の属する技術分野】
本発明は、下側治具に取り付けられた被検査プリント基板を上側治具によりプレスして、計測部に接続された複数のコンタクトプローブにより性能検査を行うためのインサーキットテスタで用いられるインサーキットテスタ用治具セットに関する。
【０００２】
【従来の技術】
従来、インサーキットテスタでは、被検査プリント基板の大きさにかかわらず、被検査基板ごとに下側治具取付け部および上側治具取付け部に合う大きさの下側治具および上側治具を製作し、それらの治具を用いて性能検査を行っている。
【０００３】
【発明が解決しようとする課題】
しかしながら、従来の技術では、被検査プリント基板が小さくても下側治具および上側治具の大きさは下側治具取付け部および上側治具取付け部に合わせられるため、治具の小型化を図ることができなかった。このため、治具の保管場所にスペースがとられ、また、治具が大型で重量が嵩むことから被検査プリント基板の機種切り換え作業の労力の負担が大きいという課題があった。
【０００４】
本発明は、このような従来の課題に着目してなされたもので、小型化および軽量化を図ることができ、保管場所の省スペース化および被検査プリント基板の機種切り換え作業の軽減を図ることができるインサーキットテスタ用治具セットを提供することを目的としている。
【０００５】
【課題を解決するための手段】
上記目的を達成するために、請求項１の本発明に係るインサーキットテスタ用治具セットは、下側治具取付け部に下側治具が取り付けられ、上側治具取付け部に上側治具が取り付けられ、前記下側治具に取り付けられた被検査プリント基板を前記上側治具によりプレスして、計測部に接続された複数のコンタクトプローブにより性能検査を行うためのインサーキットテスタで用いられるインサーキットテスタ用治具セットであって、前記計測部に電気的に接続された検査用コネクタを有し、前記下側治具取付け部に取り付けられる下側アダプタと、前記コンタクトプローブとボード側コネクタとを有し、前記ボード側コネクタは前記コンタクトプローブに電気的に接続され前記検査用コネクタに接続可能であり、被検査プリント基板の半田付け面の支持部を有し、前記下側アダプタに着脱可能に取り付けられた小型下側治具と、前記上側治具取付け部に取り付けられる上側アダプタと、
前記支持部に取り付けられた被検査プリント基板をプレス可能に前記上側アダプタに着脱可能に取り付けられた小型上側治具とを備え、前記小型上側治具は計測部に接続された上側治具用コネクタを有し、前記上側アダプタは本体とスライダとを有し、前記スライダは前記本体に対しスライドして前記上側治具用コネクタと接続可能なアダプタ側コネクタを有することを、特徴とする。
【０００６】
上記構成では、インサーキットテスタの下側治具取付け部に下側アダプタを取り付け、上側治具取付け部に上側アダプタを取り付けておき、下側アダプタに小型下側治具を取り付け、上側アダプタに上側小型上側治具を取り付ける。ボード側コネクタを検査用コネクタに接続し、小型下側治具の支持部で被検査プリント基板の半田付け面を支持する。これにより、通常の操作で被検査プリント基板の性能検査を行うことができる。
【０００７】
下側治具は下側アダプタと小型上側治具とから成り、上側治具は上側アダプタと小型上側治具とから成るため、被検査プリント基板が小さい場合には、その大きさに合わせて小型下側治具および小型上側治具の小型化および軽量化を図ることができる。このため、保管場所の省スペース化を図ることができる。被検査プリント基板の機種切り換え作業の際には、下側アダプタおよび上側アダプタを取り付けたまま、小型下側治具および小型上側治具のみを交換すればよいので、機種切り換え作業の軽減を図ることができる。下側治具取付け部から下側アダプタを取り外し、上側治具取付け部から上側アダプタを取り外して、それぞれ従来の治具を取り付ければ、従来の治具により被検査プリント基板の性能検査を行うことができる。
【０００９】
上記構成では、スライダを本体に対してスライドさせることにより、上側アダプタのアダプタ側コネクタを容易に上側治具用コネクタと接続することができる。
【００１０】
請求項２の本発明に係るインサーキットテスタ用治具セットは、請求項１のインサーキットテスタ用治具セットにおいて、前記上側アダプタは、板状の本体と、貫通孔を有し、前記本体に対し並列に間隙をあけて固定された取付板と、頭部が強磁性体から成って前記本体と前記取付板との間に配置され、先端が前記貫通孔を通って前記取付板に前記小型上側治具を取付け可能なボルトと、前記本体に固定され、前記小型上側治具から外れた状態の前記ボルトの先端を前記貫通孔に挿入したまま前記ボルトの頭部を吸着可能な磁石とを、有することを特徴とする。
【００１１】
上記構成では、ボルトにより取付板に対し小型上側治具を取り付けることができる。ボルトは、小型上側治具から外したとき、先端を貫通孔に挿入したまま、頭部を磁石に吸着させておく。これにより、ボルトを紛失することなく、小型上側治具の取付け取外しを容易にすることができる。
【００１２】
【発明の実施の形態】
以下、図面に基づき本発明の実施の形態について説明する。
図１〜図３は、本発明の実施の形態を示している。
図１〜図３に示すインサーキットテスタ用治具セットは、インサーキットテスタで用いられる。インサーキットテスタでは、下側治具取付け部に下側治具が取り付けられ、上側治具取付け部に上側治具が取り付けられる。下側治具取付け部は、長方形状の凹部から成る。インサーキットテスタは、下側治具に取り付けられた被検査プリント基板Ａを上側治具によりプレスして、計測部に接続された複数のコンタクトプローブにより性能検査を行うものである。
【００１３】
インサーキットテスタ用治具セットは、下側アダプタ１と、小型下側治具２と、上側アダプタ３と、小型上側治具４とから成る。下側アダプタ１は、計測部に電気的に接続された検査用コネクタ１１を有し、下側治具取付け部に取り付けられる。下側アダプタ１は、底上げ構造であり、小型下側治具２を取り付けたとき従来の下側治具の位置に位置づける。図１および図３に示すように、下側アダプタ１は、両側上面に持ち運び用の把手１２を有している。
【００１４】
小型下側治具２は、コンタクトプローブとボード側コネクタ２１とを有する。ボード側コネクタ２１は、コンタクトプローブに電気的に接続され検査用コネクタ１１に接続可能である。小型下側治具２は、被検査プリント基板Ａの半田付け面の支持部２２を有する。小型下側治具２は、下側アダプタ１に着脱可能に取り付けられる。
【００１５】
上側アダプタ３は、上側治具取付け部に取り付けられる。上側アダプタ３は、底上げ構造であり、小型上側治具４を取り付けたとき従来の上側治具の位置に位置づける。図１および図２に示すように、上側アダプタ３は、板状の本体３１と、取付板３２と、ボルト３３と、磁石３４と、スライダ３５とを有する。取付板３２は、本体３１に対し並列に間隙をあけて固定されている。取付板３２は、複数の貫通孔３６を有する。
【００１６】
ボルト３３は、頭部３３ａを含む全体が鉄から成る。ボルト３３は、貫通孔３６ごとに設けられている。ボルト３３は、頭部３３ａが本体３１と取付板３２との間に配置され、先端３３ｂが貫通孔３６を通って取付板３２に小型上側治具４を取付け可能となっている。磁石３４は、本体３１の、ボルト３３の頭部３３ａと向き合う位置に固定されている。磁石３４は、小型上側治具４から外れた状態のボルト３３の先端３３ｂを貫通孔３６に挿入したままボルト３３の頭部３３ａを吸着可能である。図２に示すように、スライダ３５は、本体３１に対しスライドして上側治具用コネクタ４１と接続可能なアダプタ側コネクタ３７を有する。スライダ３５は、スライド操作のための把手３８を有している。なお、スライダ３５を用いずに、小型上側治具４を上側アダプタ３に取り付けると同時に、上側治具用コネクタ４１がアダプタ側コネクタ３７と接続されるようにしてもよい。
【００１７】
小型上側治具４は、支持部２２に取り付けられた被検査プリント基板Ａをプレス可能に上側アダプタ３に着脱可能に取り付けられる。小型上側治具４は、計測部に接続された上側治具用コネクタ４１を有する。
【００１８】
インサーキットテスタ用治具セットは、インサーキットテスタの下側治具取付け部に下側アダプタ１を取り付け、上側治具取付け部に上側アダプタ３を取り付けて使用される。下側アダプタ１に被検査プリント基板Ａに合った小型下側治具２を取り付け、上側アダプタ３にその被検査プリント基板Ａに合った上側小型上側治具４を取り付ける。小型上側治具４は、取付板３２に対しボルト３３により取り付けることができる。図１に示すように、ボルト３３は、小型上側治具４から外したときには、先端３３ｂを貫通孔３６に挿入したまま、頭部３３ａを磁石３４に吸着させておく。これにより、ボルト３３を紛失することなく、小型上側治具４の取付け取外しを容易にすることができる。
【００１９】
図２に示すように、スライダ３５を本体３１に対してスライドさせることにより、上側アダプタ３のアダプタ側コネクタ３７を容易に上側治具用コネクタ４１と接続することができる。ボード側コネクタ２１を検査用コネクタ１１に接続し、小型下側治具２の支持部２２で被検査プリント基板Ａの半田付け面を支持する。これにより、通常の操作で被検査プリント基板Ａの性能検査を行うことができる。
【００２０】
下側治具は下側アダプタ１と小型下側治具２とから成り、上側治具は上側アダプタ３と小型上側治具４とから成るため、被検査プリント基板Ａが小さい場合には、その大きさに合わせて小型下側治具２および小型上側治具４の小型化および軽量化を図ることができる。このため、保管場所の省スペース化を図ることができる。
【００２１】
被検査プリント基板Ａの機種切り換え作業の際には、汎用部の下側アダプタ１および上側アダプタ３を取り付けたまま、専用部の小型下側治具２および小型上側治具４のみを交換すればよいので、機種切り換え作業の軽減を図ることができる。なお、一例で、小型下側治具２および小型上側治具４は、従来の治具に比べて約３分の１の大きさまで小型化することができた。
【００２２】
下側治具取付け部から下側アダプタ１を取り外し、上側治具取付け部から上側アダプタ３を取り外して、それぞれ従来の治具を取り付ければ、従来の治具により被検査プリント基板Ａの性能検査を行うことができる。
【００２３】
【発明の効果】
本発明に係るインサーキットテスタ用治具セットによれば、小型化および軽量化を図ることができ、保管場所の省スペース化および被検査プリント基板の機種切り換え作業の軽減を図ることができる。
【図面の簡単な説明】
【図１】本発明の実施の形態のインサーキットテスタ用治具セットを示す正面図である。
【図２】図１のインサーキットテスタ用治具セットの上側アダプタおよび小型上側治具を示す側面図である。
【図３】図１のインサーキットテスタ用治具セットの平面図である。
【符号の説明】
１  下側アダプタ
２  小型下側治具
３  上側アダプタ
４  小型上側治具
１１  検査用コネクタ
２１  ボード側コネクタ
２２  支持部
３１  本体
３２  取付板
３３  ボルト
３４  磁石
３５  スライダ
３６  貫通孔
３７  アダプタ側コネクタ
４１  上側治具用コネクタ
【図１】
0004377085.tif 000002
【図２】
0004377085.tif 000003
【図３】
0004377085.tif 000004